(57)【特許請求の範囲】
【請求項１】
摩擦溶接接合を形成するための金属固着部材（１０；３０；４０；５０；６０；７０）であって、
前記部材（１０；３０；４０；５０；６０；７０）が円筒形外側表面（５）と前記表面の境界を越えて軸線方向に延びている案内要素（１；６１）から成り、
前記部材（１０；３０；４０；５０；６０；７０）が、前記案内要素（１；６１）から半径方向に間隔を置いて配置された連続環状フランジ（９；２９）を含むように構成されており、
前記連続環状フランジ（９；２９）が実質上溶接面の表面によって形成された平面（Ｅ）に直角である組立て方向（Ｍ）に向けられた連続溶接面（２）の輪郭を定めており、
前記案内要素（１；６１）が、ドリルチップ（５６）として形成された自由端（４）を有し、前記ドリルチップ（５６）は少なくとも１個の切削刃（５７）を有する、
ことを特徴とする固着部材。
【請求項２】
案内要素（１；６１）が平面（Ｅ）から組立て方向（Ｍ）に突き出ていることを特徴とする請求項１に記載の固着部材。
【請求項３】
溶接面（２；２２；３２）が縦軸線（６）をぐるりと取り囲んでいることを特徴とする請求項１に記載の固着部材。
【請求項４】
固着部材（１０；４０）は、溶接面（２；３２）の外縁の所にその最大周囲長さを有することを特徴とする請求項３に記載の固着部材。
【請求項５】
環状溶接面（２；２２；３２）の内部幅（Ｗ）は案内要素（１；６１）の厚さ（Ｄ）より大きいことを特徴とする請求項１〜４のいずれか１項に記載の固着部材。
【請求項６】
溶接面（２；２２；３２）は案内要素（１；６１）の周囲線に対しほぼ同心円状に延びていることを特徴とする請求項１〜５のいずれか１項に記載の固着部材。
【請求項７】
溶接面（２；２２；３２）は固着部材（１０；３０；４０；６０；７０）の突起（９；２９；３９）上にあることを特徴とする、請求項１〜６のいずれか１項に記載の固着部材。
【請求項８】
案内要素（１；６１；７１）は少なくとも１つの円筒形周囲表面（８）を有することを特徴とする請求項１〜７のいずれか１項に記載の固着部材。
【請求項９】
案内要素（１；６１：７１）は組立て方向（Ｍ）にテーパした少なくとも１つの部分（８）を有することを特徴とする請求項１〜８のいずれか１項に記載の固着部材。
【請求項１０】
前記テーパした部分（８）は円錐形であることを特徴とする請求項９に記載の固着部材。
【請求項１１】
溶接面は回転軸線（６）に対しほぼ直角に延びた表面構造を有することを特徴とする請求項１〜１０のいずれか１項に記載の固着部材。
【発明の詳細な説明】
技術分野
本発明は、第１金属部品と第２金属部品間、より詳細には摩擦溶接スタッドと金属板間の摩擦溶接接合の形成に関するものである。
背景技術
ドイツ国特許公開第４２，２５，４３５Ａ１号は、摩擦溶接接合部を形成する方法と、管状部品の内部に摩擦溶接接合を生成することができる打込みマンドレルを開示している。円錐状にテーパした端部をもつ打込みマンドレルは、管状部品のホームに打ち込まれ、対称軸のまわりに回転される。管状部品の端部は膨張して、打込みマンドレルの円錐形に適合する。その円錐形の表面に接合領域が生成される。接合は打込みマンドレルと管状部品間の摩擦接触によって強化される。
発明の開示
本発明の目的は、第１金属部品と第２金属部品間に摩擦接合を形成する方法を提供する。その方法によって所定の位置に環状接合領域を生成することができる。本発明のもう１つの目的は、異なる部品の所定の場所に摩擦溶接接合を形成するための金属固着部材を提供することである。
本発明は、第１金属部品と第２金属部品間、より詳細には金属スタッドと金属板間に摩擦溶接接合を形成する方法であって、第１部品の案内要素を第２部品の表面にほぼ直角に延びている位置決めボアに挿入し、２つの部品を案内要素の長手方向に延びている回転軸線のまわりに相対的に回転させることによって、２つの部品間に環状接合領域を生成する方法を提供する。
本発明に係る金属固着部材は、摩擦溶接接合を形成するための金属固着部材である。この固着部材は、円筒形外側表面とこの表面の境界を越えて軸線方向に伸びた中央突起をもつスタッドから成る。固着部材は、中央突起から半径方向に間隔を置いて配置された連続環状フランジをもつように構成されており、環状フランジは実質上溶接面の表面によって形成された平面に直角な組立て方向に向けられた連続溶接面の輪郭を定めている。
本発明に係る方法は、連続環状フランジによって取り囲まれ、連続環状フランジから半径方向に間隔を置いて配置された中央突起をもつスタッドから成る第１金属部品と第２金属部品の間に摩擦溶接接合を形成する方法である。本発明の摩擦溶接接合形成方法は、スタッドの中央突起を第２部品の表面にほぼ直角に延びている位置決めボアに挿入すること、および第１部品と第２部品を中央突起によって定められた軸線のまわりに相対的に回転させることによって連続フランジと第２部品の表面との間に環状接合領域を形成する。
摩擦溶接接合の一実施例においては、高い接触圧力またはかなり高い回転速度が生じることがある。従って、相対的に回転している部品では、中心がずれる危険が常に存在する。本発明に係る方法によれば、案内要素と位置決めボア間の相互作用が意図した接合位置からのずれを防止するので、この危険は避けられる。また、本発明に係る処理制御は、摩擦溶接接合を生成するとき、もし２つの部品の正しい相対的位置決めが部品自身によって達成されるならば、装置の費用を低減する。詳しく述べると、例えば２つの部品の一方が回転軸線のまわりに回転している装置の軸受を破損させることがある、回転軸線を横切る方向に作用する大きな力は避けられる。既知の方法の場合、もし回転軸線が第２部品の表面に直角に向けられていなければ、大きな軸受力が生じる。
本発明に係る処理制御は、摩擦溶接合を形成する場合、２つの部品間に材料の接合を生成する前に、まずアルミニウム部品の溶接面のアルミニウム酸化層をこすり落さなければならないので、アルミニウム／鋼の材料組合せに関しては特に利点がある。アルミニウム酸化層は２つの部品間の高い接触圧力と高速相対運動によってこすり落すことができる。そのほかに、もし例えば案内要素をもつ第１部品の溶接面が、相互にこすり合う面間の摩擦係数が増大するような表面構造をもっていれば、これを達成することができる。
また、本発明に係る方法の場合、第１部品の溶接面が第２部品の位置決めボアの周囲の表面に接触するまで、案内要素を位置決めボアの中に挿入することが提案されている。
詳しく述べると、２つの部品は案内要素をもつ金属スタッドと、位置決めボアを持つ金属板である。用語「溶接面」は、本方法を実施する時にこすられる表面の領域、すなわち対応する他の部品の溶接面をこする表面の領域をさす。溶接面の形状は本方法を実施する際にかなり変化することがある。詳しく述べると、摩擦熱によって溶接面の所で材料を液化させることができる。摩擦溶接が終ると、溶接面または前者の溶接面の領域に接合領域すなわち部品同士の材料接合が存在する。
また、本発明に係る方法は、最初に案内要素をもつ第１部品を第２部品の上に正しく位置決めし、案内要素を位置決めボアに挿入することを可能にする。そのあと、接合する２つの部品が相対的に回転される。さらに別の利点のある着想に従って、回転操作の際に案内要素を位置決めボアに挿入することが提案されている。案内要素はより低い回転速度で位置決めボアに挿入することができる。この処理制御の方法は、位置決め操作が回転操作の中に統合されているので、より高い速度が得られる。
第１部品はドリルチップ（孔あけ用先端）として設計された自由端をもつ案内要素を備えているので、回転操作の際に案内要素自身によって位置決めボアを形成することができる。従って、第１部品は自動ドリリング（孔あけ）作用を有するので、事前に位置決めボアを形成する必要がない。
本発明の方法の展開においては、案内要素は回転の際に位置決めボアの中にさらに挿入される。従って、第２部品の溶接面の材料は変形するが、溶接操作に必要な溶接面に対する接触圧力を達成または維持することができる。
本発明の方法のさらに別の展開においては、案内要素の自由端は貫通孔として設計された位置決めボアを通して挿入される。従って、利用可能なるボア長さは完全に使用される。同じ理由で、すなわちできるだけ安定した位置決めを達成するために、案内要素の外寸法と位置決めボアの内径は可能な限り互いに正確に適合され、そして案内要素と位置決めボアの壁面間の摩擦抵抗は可能な限り低く保たれる。代案の展開においては、案内要素と位置決めボアの壁面との間に十分強い摩擦が生じるので、そこに接合領域が生成される。
案内要素と位置決めボアの壁面との間に接合領域を形成するために、本発明は、案内要素が少なくとも１つの組立て方向にテーパした部分（円錐状にテーパした部分が好ましい）をもつことが提案されている。円錐状テーパ部分は位置決めボアの壁面と共に摩擦溶接接合を部分的に形成することができる。また、案内要素はそのテーパ部分によって事前に形成された位置決めボアの中心に自動的に置かれる。
本発明の方法の一実施例においては、接合領域を形成する際に実質上２つの部品の一方の材料のみが変形するように、部品の形状および／または寸法および／または材料が選択される。好ましい実施例においては、これは、第１部品の溶接面を薄壁をもつ突起の端面に配置することによって達成されている。従って、発生したすべての摩擦熱は端面から突起を通ってゆっくり移動できるだけであるから、材料は急速に材料接合を形成する十分高い温度に達する。
本発明に係る摩擦溶接接合を形成するための金属固着部材は、少なくとも１つの溶接面を含む表面を有し、前記溶接面は、実質上組立て方向に向けられ、かつ回転軸線に直角な平面に沿って広がるとともに回転軸線を取り囲んでいる。固着部材は回転軸線に沿って組立て方向に延びている案内要素を備えている。用語「組立て方向」は、回転軸線に平行な方向、すなわち回転軸線上で、溶接面を他方の部品の溶接面に接触させるため固着部材の観察領域を挿入することができる方向、すなわち他方の部品を溶接面に向けて動かすことができる方向を指す。用語「回転軸線」は、溶接面上に摩擦溶接接合を生成するため固着部材をそのまわりに回転させることができる軸線を指す。案内要素は固着部材の本体から回転軸線に沿って延びた「ペグ（栓）」であることが好ましい。
案内要素が平面から組立て方向に突き出ているような固着部材の設計が好ましい。従って、より詳細には、本発明に係る方法によって、表面に直角に延びている位置決めボアを有する金属板に固着部材を溶接することができる。
固着部材の展開においては、溶接面が回転軸線を環状に取り囲んでいる。溶接面が複数の互いに間隔を置いて配置された部分溶接面から成る実施例が存在する。しかし、連続した溶接面をもつ実施例、より詳細には、回転軸線をぐるっと取り囲んでいる溶接面のほうが好ましい。上記実施例の利点は固着部材を容易に、例えばプレスで製作できることである。
本発明の展開においては、固着部材はおおよそ溶接面の外縁にその最大周囲長さを有する。従って、最大周囲長さをもつ接合領域を実現することができるので、一段と安定な摩擦溶接接合を得ることができる。
もし第２部品が金属板であれば、溶接面のサイズを選択するとき、金属板の厚さを考慮に入れるべきである。溶接面の特定サイズ以上では、２つの部品間の材料接合は金属板の安定性より大きな安定性を有する。また、摩擦溶接接合を生成するために必要な接触圧力は溶接面のサイズにほぼ比例することに留意すべきである。従って、金属板を適当なやり方で支持しなければならない。この理由と、装置の費用を低減するために、溶接面はできるだけ小さいことが好ましい。
さらに別の展開においては、環状溶接面の内部幅は案内要素の厚さより大きい。内部幅は回転軸線を横断する部分に沿って測定される。非円形溶接面の場合、用語「内部幅」は、最小内部幅を指す。従って、案内要素は摩擦溶接接合を生成する際に塑性的に変形した材料が逃げ込むことができる自由空間で取り囲まれているので、台座状の広がった領域を内側に形成することができる。摩擦溶接操作が終了すると、上記の空間は、溶接面の領域において前に摩擦で加熱された材料の有益な急速冷却、従って一段と安定な摩擦溶接接合をもたらす。大きな冷却表面は、さらに、可能性のある溶融材料の逃げのほかに、一定の役割を果たす。溶接面の内縁の冷却をいっそう加速するために、例えば案内要素と案内要素が挿入された位置決めボアの間に残った隙間を通して圧搾空気をこの領域に流入できるようにすることが提案されている。
本発明に係る固着部材の展開においては、溶接面は案内要素の周囲線に対しほぼ同心円状に延びている。固着部材の回転対称設計の利点は、製造に関して付いて既に述べた。しかし、固着部材は、溶接面または案内要素の中心を通って延びている回転軸線のまわりに特に容易かつ有効に回転させることができるので、摩擦溶接接合を生成する場合の処理に関しても利点がある。
さらに別の実施例においては、溶接面は固着部材の突起上にある。突起は好ましい薄い壁面で囲われているので、溶接面は小さく、かつ他方の部品に対するわずかな押力で摩擦溶接接合を生成することができる。
また、もし案内要素が円筒形周囲表面を有していれば有益である。その外径は摩擦溶接接合が生成される部品の位置決めボアの内径に適合することが好ましい。
固着部材のさらに別の利点のある実施例に従って、案内要素が少なくとも１つの組立て方向にテーパした部分を有することが提案されている。もし案内要素が事前に設けられた位置決めボアに挿入されれば、案内要素は自動的に中心に置かれる。テーパ部分は、デザインが円錐形あることが好ましく、また案内要素の自由端領域に置かれていることが好ましい。
固着部材の一実施例においては、案内要素はその自由端がドリルチップとして作られている。この案内要素の設計は、位置決めボアを案内要素によって形成することを可能している。このように、自動ドリリング（孔あけ）は固着部材によって行われる。ドリルチップには、少なくとも１つの切削刃が設けられていることが好ましい。ドリルチップの設計は、固着部材がその上に配置される部品の材質に適応させることができる。
固着部材の一実施例においては、溶接面は回転軸線にほぼ直角に広がっている好ましい表面構造を有する。溶接面の摩擦係数は表面構造の形状と寸法を通じて調整することができる。
次に、添付図面を参照して本発明に係る方法および本発明に係る固着部材の諸実施例について説明するが、発明はそれらの実施例に限定されない。
【図面の簡単な説明】
図１は、本発明に係る第１実施例の固着部材の斜視図である。
図２は、図１に係る固着部材を通る縦断面図である。
図３は、本発明に係る第２実施例の固着部材を通る縦断面図である。
図４は、本発明に係る第３実施例の固着部材を通る縦断面図である。
図５は、本発明に係る第４実施例の固着部材の一部を通る縦断面図である。
図６は、本発明に係る第５実施例の固着部材の一部を通る縦断面図である。
図７〜図１０は、図１に係る固着部材を金属板に摩擦溶接する際の一連のステップを示す縦断面図である。
発明を実施するための最良の形態
図１および図２は、本発明に係る固着部材、より詳細には環状溶接面２が組立て方向に向けられた状態の摩擦溶接スタッドを示す。溶接面２は、固着部材１０の突起９の端面にあって、回転軸線６をぐるりと取り囲んでいる。連続環状フランジすなわち突起９（以下、突起という）は、固着部材１０の本体と共に、表面５の円筒形の部分を形成している。固着部材１０の本体から、ペグ（栓）として設計された案内要素１がその自由端４に向かって、回転軸線６に沿って、組立て方向Ｍに延びている。案内要素１は溶接面２が位置する平面Ｅ（図２）から突き出ている。
円筒形の案内要素１と環状の突起９の間に、固着部材１０の摩擦溶接の際に摩擦で加熱された材料が逃げ込むことができる、閉じた周溝３がある。溶接操作の終りに材料を急速加熱できるように、案内要素１の直径Ｄは溶接面２の内部幅Ｗの寸法のほぼ半分である。製造および処理のために、突起９の端面および案内要素１の自由端４の縁にはベベルがついている。突起９のベベルは、溶接処理の際に加熱された液状材料が粘着力によって取り除かれるのを可能にする。案内要素１のベベルにより、案内要素１を位置決めボアに容易に挿入することができる。図５に示した別の実施例においては、円錐形にテーパした部分８をもつように、案内要素４１にはより大きなベベルがついている。
図３に示した固着部材３０は、連続環状フランジすなわちビート状環状突起２９を有し、その端面に溶接面２２がある。案内要素２１の反対側に、外周に雄ねじ２３をもつ固着用延長部２４が形成されている。この固着用延長部２４に、対応する雌ねじをもつ部品を取り付けることができる。
図４は、本発明に係る固着部材４０のさらに別の実施例の一部分を示す。固着部材４０の案内要素３１と連続環状フランジすなわち環状突起３９の間の溝３３は上に向かって次第に減少する横断面を有する。従って、末端の溶接面３２から見ると、突起３９の横断面は連続的に増大している。このため、溶融が進むにつれて横断面が増大するので、つまり上方への熱伝導による熱の放出が増加するので、固着部材４０を溶接するとき、突起３９の制御されない溶融が防止される。
図５は、本発明に係る固着部材７０のさらに別の実施例を示す。固着部材７０は案内要素７１を備えている。固着部材７０の基本的構成は固着部材３０のそれとほぼ同じである。案内要素７１は円錐状にテーパした部分８をもっている。部分８は案内要素７１の自由端４に向かってテーパしている。
図６は、本発明に係る固着部材６０のさらに別の実施例を示す。固着部材６０はドリルチップ５６の形に設計された自由端４をもつ案内要素６１を備えている。ドリルチップ５６は少なくとも１つの切削刃５７を有する。案内要素６１がドリルチップ５６をもつ設計であるので、固着部材６０は自動孔あけ作用をもつことができる。
次に、図７〜図１０を参照して本発明に係る方法の実施例について説明する。固着部材１０の案内要素１は、その溶接面２が金属板５０の表面５５に接触するまで、金属板５０の貫通孔５３に挿入される。
実際の摩擦溶接操作は、固着部材１０を矢印の方向に回転軸線６のまわりに回転させることによって開始される（図７）。突起９は、溶接面２があるその末端に薄い壁を有しているので、実質上、突起９の材料だけが変形される。金属板５０の材料は単に薄い表面層内で溶融するだけである。溶融した材料は、回転運動を急激に減速することによって急速冷却され、凝固して環状接合領域７になる。
産業上の利用可能性
本発明は、所定の場所に２つの金属部品間の摩擦溶接接合を位置的に正しく形成することができる。２つの部品の間に環状接合領域を形成することによって、信頼できる摩擦溶接接合が生成される。
【図１】
0004388140.tif 000002
【図２】
0004388140.tif 000003
【図３】
0004388140.tif 000004
【図４】
0004388140.tif 000005
【図５】
0004388140.tif 000006
【図６】
0004388140.tif 000007
【図７】
0004388140.tif 000008
【図８】
0004388140.tif 000009
【図９】
0004388140.tif 000010
【図１０】
0004388140.tif 000011